(57)【要約】【課題】本発明は、輪状絶縁カバーの輪状壁に凹部又は凸部を設け、パレットを用いることなくレゾルバステータを搬送することを目的とする。【解決手段】本発明によるレゾルバステータ構造は、輪状ステータ(1)の両端面(3,3a)に設けた各輪状絶縁カバー(4,5)の一方の輪状壁(10)に凹部(11a)又は凸部(11b)を設け、この凹部(11a)又は凸部(11b)を用いてレゾルバステータを搬送する構成である。【選択図】図２
2008118739.tif 000002
【特許請求の範囲】
【請求項１】
所定角度間隔で内方へ突出する複数の磁極(2)を有する輪状ステータ(1)と、前記輪状ステータ(1)の両端面(3,3a)に一体又は別体にて設けられた第１、第２輪状絶縁カバー(4,5)と、前記各輪状絶縁カバー(4,5)に一体に形成され前記各磁極(2)を覆うための複数の磁極カバー部(4a,5a)と、前記各輪状絶縁カバー(4,5)の少なくとも一方の周縁に形成され前記輪状ステータ(1)の軸方向に沿って延設された輪状壁(10)と、前記輪状壁(10)の端面(10a)に形成された複数の非平面部(11)と、を備え、
前記各非平面部(11)を搬送用に用いることを特徴とするレゾルバステータ構造。
【請求項２】
前記非平面部(11)は、凹部(11a)からなることを特徴とする請求項１記載のレゾルバステータ構造。
【請求項３】
前記非平面部(11)は、凸部(11b)からなることを特徴とする請求項１記載のレゾルバステータ構造。
【請求項４】
前記凹部(11a)の凹底部(11aA)は、前記磁極カバー部(4a)の耳部(4aA)の先端面(4aB)よりも先に位置していることを特徴とする請求項２記載のレゾルバステータ構造。
【発明の詳細な説明】
【技術分野】
【０００１】
本発明は、レゾルバステータ構造に関し、特に、輪状絶縁カバーに形成された輪状壁の凹部又は凸部からなる非平面部を用いて、レゾルバステータをパレットなしで搬送できるようにするための新規な改良に関する。
【背景技術】
【０００２】
従来、用いられていたこの種のレゾルバステータ構造としては、例えば、特許文献１に採用されている構成を図１０及び図１１で示すことができる。
すなわち、図１０及び図１１において符号１で示されるものは、所定角度間隔で内方へ突出する複数の磁極２を有する輪状ステータであり、この輪状ステータ１の両端面３、３ａには、一体（本実施の形態）又は別体で形成された第１、第２輪状絶縁カバー４、５が設けられている。
【０００３】
前記各輪状絶縁カバー４、５には、前記各磁極２に対応して磁極カバー部４ａ、５ａが一体に形成され、前記各磁極２には、この各磁極カバー部４ａ、５ａが各磁極２を覆った状態でステータ巻線６が巻回されている。
【０００４】
前記各輪状絶縁カバー４、５に対して一体接続され、複数の端子ピン７を有する端子ピン保持部８が輪状ステータ１の径方向Ｂに沿って突出して形成されている。
【０００５】
【特許文献１】米国特許第６，０２８，３８３号明細書
【発明の開示】
【発明が解決しようとする課題】
【０００６】
従来のレゾルバステータ構造は、以上のように構成されていたため、次のような課題が存在していた。
すなわち、レゾルバを組立てる場合、このレゾルバステータを自動化ラインの量産ラインで搬送しようとすると、特に、アーム等の係止部分がないため、パレットを用いて搬送しなければならず、量産上の大きい障害となっていた。
【課題を解決するための手段】
【０００７】
本発明によるレゾルバステータ構造は、所定角度間隔で内方へ突出する複数の磁極を有する輪状ステータと、前記輪状ステータの両端面に一体又は別体にて設けられた第１、第２輪状絶縁カバーと、前記各輪状絶縁カバーに一体に形成され前記各磁極を覆うための複数の磁極カバー部と、前記各輪状絶縁カバーの少なくとも一方の周縁に形成され前記輪状ステータの軸方向に沿って延設された輪状壁と、前記輪状壁の端面に形成された複数の非平面部と、を備え、前記各非平面部を搬送用に用いるようにした構成であり、また、前記非平面部は、凹部からなる構成であり、また、前記非平面部は、凸部からなる構成であり、また、前記凹部の凹底部は、前記磁極カバー部の耳部の先端面よりも先に位置している構成である。
【発明の効果】
【０００８】
本発明によるレゾルバステータ構造は、以上のように構成されているため、次のような効果を得ることができる。
すなわち、輪状ステータに設けられた輪状壁に、凹部又は凸部からなる非平面部が形成され、この非平面部を用いてレゾルバステータの位置決め及び保持等を行うことができ、組立て用等の自動ラインに投入した場合に、パレットを用いることなく、レゾルバステータのダイレクト搬送が可能である。
【発明を実施するための最良の形態】
【０００９】
本発明は、輪状絶縁カバーに形成された輪状壁の凹部又は凸部からなる非平面部を用いて、レゾルバステータをパレットなしで搬送できるようにしたレゾルバステータ構造を提供することを目的とする。
【実施例】
【００１０】
以下、図面と共に本発明によるレゾルバステータ構造の好適な実施の形態について説明する。
尚、従来例と同一又は同等部分には同一符号を付して説明する。
図１及び図２において符号１で示されるものは、所定角度間隔で内方へ突出する複数の磁極２を有する輪状ステータであり、この輪状ステータ１の両端面３、３ａには、一体（本実施の形態）又は別体で形成された第１、第２輪状絶縁カバー４、５が設けられている。
【００１１】
前記各輪状絶縁カバー４、５には、前記各磁極２に対応して磁極カバー部４ａ、５ａが一体に形成され、前記各磁極２には、この各磁極カバー部４ａ、５ａが各磁極２を覆った状態でステータ巻線６が巻回されている。
【００１２】
前記各輪状絶縁カバー４、５のうちの一方の第１輪状絶縁カバー４には、その周縁で前記各磁極２を取り囲む状態で輪状壁１０が一体に形成され、この輪状壁１０は前記輪状ステータ１の軸方向に沿って延設されている。
【００１３】
前記輪状壁１０の端面１０ａには、凹状に形成された複数（少なくとも４個が好適）の凹部１１ａからなる非平面部１１が形成され、この凹部１１ａの凹底部１１ａＡは前記磁極カバー部４ａの耳部４ａＡの先端面４ａＢよりも先に位置している。
尚、前記非平面部１１は、前述の凹部１１ａに限ることなく図９で示される凸部１１ｂとすることもできる。
【００１４】
また、前記凹部１１ａの形状としては、図２及び図３のように、その入り口部２０及び奥角部２１に曲面部であるＲ形状を有しない構成、図４のように前記奥角部２１のみＲ形状を有するかＣ面形状とすることができる。
【００１５】
また、図５の場合、前記凹部１１ａの形状がＵ字形状またはＶ字形状で形成され、図６の場合は、入り口部２０及び奥角部２１にＲ形状又はＣ面形状が形成されている構成である。
【００１６】
また、図７の場合、前記凹部１１ａの入り口部２０のみ、Ｒ形状又はＣ面形状で形成され、図８の場合には、凹部１１ａが図５と同様にＵ字形状又はＶ字形状で、かつ、その入り口部２０がＲ形状又はＣ面形状で形成されている。
【図面の簡単な説明】
【００１７】
【図１】本発明によるレゾルバステータ構造を示す平面図である。
【図２】図１の断面図である。
【図３】図１及び図２の符号Ａで示される凹部を示す拡大断面図である。
【図４】図３の他の形態を示す断面図である。
【図５】図３の他の形態を示す断面図である。
【図６】図４の他の形態を示す断面図である。
【図７】図３の他の形態を示す断面図である。
【図８】図５の他の形態を示す断面図である。
【図９】図２の非平面部の他の形態を示す断面図である。
【図１０】従来のレゾルバステータ構造を示す平面図である。
【図１１】図１０の断面図である。
【符号の説明】
【００１８】
１    輪状ステータ
２    磁極
３、３ａ    端面
４、５    第１、第２輪状絶縁カバー
６    ステータ巻線
４ａ、５ａ    磁極カバー部
４ａＡ、５ａＡ    耳部
４ａＢ    先端面
７    端子ピン
８    端子ピン保持部
１０    輪状壁
１１    非平面部
１１ａ    凹部
１０ａ    端面
１１ａＡ    凹底部
【図１】
2008118739.tif 000003
【図２】
2008118739.tif 000004
【図３】
2008118739.tif 000005
【図４】
2008118739.tif 000006
【図５】
2008118739.tif 000007
【図６】
2008118739.tif 000008
【図７】
2008118739.tif 000009
【図８】
2008118739.tif 000010
【図９】
2008118739.tif 000011
【図１０】
2008118739.tif 000012
【図１１】
2008118739.tif 000013